(57)【特許請求の範囲】
【請求項１】
巻回した粘着剤付きの小巻テープが繰出し自在に且つ直接装着されるテープ印刷装置であって、
前記小巻テープの一方の端面が位置決めされた状態で接触する回転テーブルと、
前記回転テーブルを回転自在に支持するテーブル支持部と、を備えたことを特徴とするテープ印刷装置。
【請求項２】
前記回転テーブルは、
円板状のテーブル本体と、
前記テーブル本体の中心部に凸設され、前記小巻テープの軸心に挿通する位置決め突起と、を有していることを特徴とする請求項１に記載のテープ印刷装置。
【請求項３】
前記位置決め突起は、凸設した中空円形突起で構成され、
前記テーブル支持部は、
前記位置決め突起が回転自在に係合する回転ガイド部と、
前記テーブル本体の周縁部に摺接自在に支持する周縁支持部と、を有していることを特徴とする請求項２に記載のテープ印刷装置。
【請求項４】
前記回転ガイド部は、ガイド部本体と、前記ガイド部本体を支持する円柱部とを有し、
前記位置決め突起には、ばね性を有し、前記ガイド部本体に係合する抜止めフック部が延設され、
前記周縁支持部は、前記ガイド部本体に対し前記抜止めフック部が非接触状態となるように、前記テーブル本体を支持していることを特徴とする請求項３に記載のテープ印刷装置。
【請求項５】
前記回転テーブルが、内面のひとつを構成するテープ収容部と、
繰出した前記小巻テープに印刷を行う印刷部と、を更に備えたことを特徴とする請求項１ないし４のいずれかに記載のテープ印刷装置。
【請求項６】
前記テープ収容部を開閉する蓋体を、更に備え、
前記テーブル支持部は、前記蓋体に設けられていることを特徴とする請求項５に記載のテープ印刷装置。
【請求項７】
前記蓋体には、前記テープ収容部を閉塞した状態で、前記テープ収容部内を視認可能な小窓が形成されており、
前記回転テーブルは、透光性材料で構成されていることを特徴とする請求項６に記載のテープ印刷装置。
【発明の詳細な説明】
【技術分野】
【０００１】
本発明は、巻回した粘着剤付きの小巻テープが繰出し自在に装着されるテープ印刷装置に関する。
【背景技術】
【０００２】
従来、軸方向両端面に円形の薄いフィルムを貼付した粘着剤付きの小巻テープを、カートリッジケース内に回転自在に支持して、テープを繰出し自在に装着したテープカートリッジが知られている（特許文献１参照）。
原反を裁断して製造される粘着剤付きの小巻テープでは、裁断の際に幅方向の端面に粘着剤がはみ出すことがある。そこで、このテープカートリッジ（テープ装着装置）では、装着した小巻テープの両端面にフィルムが貼り付けられている。これにより、繰出しに伴って小巻テープが回転しても、小巻テープがばらけることがなく、かつ、カートリッジケース内における小巻テープの回転が円滑に行えるようになっている。
【先行技術文献】
【特許文献】
【０００３】
【特許文献１】特開２００８−１９４８６８号公報
【発明の概要】
【発明が解決しようとする課題】
【０００４】
しかし、小巻テープを使い切るとフィルムは廃棄物となる上、小巻テープ自体の製造コストの増加を招く等の問題があった。他方、両端面のフィルムを省略すると、小巻テープの両端面からはみ出した粘着剤が、繰出しに伴う小巻テープの回転を阻害することとなる。
【０００５】
本発明は、巻回した粘着剤付きの小巻テープにフィルム等を貼付しなくても、小巻テープの回転および繰出しを円滑に行うことのできるテープ印刷装置を提供することを課題とする。
【課題を解決するための手段】
【０００６】
本発明のテープ印刷装置は、巻回した粘着剤付きの小巻テープが繰出し自在に且つ直接装着されるテープ印刷装置であって、小巻テープの一方の端面が位置決めされた状態で接触する回転テーブルと、回転テーブルを回転自在に支持するテーブル支持部と、を備えたことを特徴とする。
【０００７】
この構成によれば、粘着剤付きの小巻テープは回転テーブルに装着され、共に回転する。すなわち、小巻テープが、その端面の粘着剤により回転テーブルに貼り付いてしまったとしても、回転テーブルが回転し小巻テープの回転が妨げられることがない。これにより、小巻テープの端面にフィルムを貼付する等、貼り付き防止のための措置をとらなくても、小巻テープの回転および繰出しを円滑に行うことができる。
【０００８】
この場合、回転テーブルは、円板状のテーブル本体と、テーブル本体の中心部に凸設され、小巻テープの軸心に挿通する位置決め突起と、を有していることが好ましい。
【０００９】
この構成によれば、位置決め突起により、小巻テープと回転テーブルとの回転中心の位置合せが容易となり、小巻テープと回転テーブルとを確実に同軸回転させることができる。
【００１０】
また、この場合、位置決め突起は、凸設した中空円形突起で構成され、テーブル支持部は、位置決め突起が回転自在に係合する回転ガイド部と、テーブル本体の周縁部に摺接自在に支持する周縁支持部と、を有していることが好ましい。
【００１１】
この構成によれば、回転テーブルは、小巻テープを中心に位置決めした状態で装着することができると共に、テーブル本体は、周縁支持部により、浮くようにして支持されるため、回転テーブルの回転抵抗を抑制することができる。これにより、小巻テープの回転を円滑に、かつ、安定させることができる。
【００１２】
また、この場合、回転ガイド部は、ガイド部本体と、ガイド部本体を支持する円柱部と、を有し、位置決め突起には、ばね性を有し、ガイド部本体に係合する抜止めフック部が延設され、周縁支持部は、ガイド部本体に対し抜止めフック部が非接触状態となるように、テーブル本体を支持していることが好ましい。
【００１３】
この構成によれば、回転テーブルは、抜止めフック部により、ガイド部本体に抜け止め状態で係合すると共に、周縁支持部に支持されることで、ガイド部本体と抜止めフック部とは接触することがない。このため、テープ装着装置の姿勢によって、回転テーブルがテーブル支持部から抜け落ちてしまうことがなく、また、円滑に回転テーブルを回転させることができる。さらに、抜止めフック部の係合を解くことで、回転テーブルを取り外すことができるため、これに付着した粘着剤等による汚れの清掃を容易に行うことができる。
【００１４】
一方、回転テーブルが、内面のひとつを構成するテープ収容部と、繰出した小巻テープに印刷を行う印刷部と、を更に備えることが好ましい。
【００１５】
この構成によれば、小巻テープの端面の粘着剤による貼り付きが原因で小巻テープの回転（繰出し）が阻害されることがないため、小巻テープは、適切に繰出され、これに適切な印刷を行うことができる。
【００１６】
この場合、テープ収容部を開閉する蓋体を、更に備え、テーブル支持部は、蓋体に設けられていることが好ましい。
【００１７】
この構成によれば、使用状態において、小巻テープは、蓋体に設けられたテーブル支持部に回転自在に支持された回転テーブルに位置決め状態で接触する。この場合、粘着剤は、接触する回転テーブルに付着するが、テープ装着装置を蓋体側に構成することで、回転テーブルに付着した粘着剤の除去作業やその他のメンテナンスが容易となる。
【００１８】
また、この場合、蓋体には、テープ収容部を閉塞した状態で、テープ収容部内を視認可能な小窓が形成されており、回転テーブルは、透光性材料で構成されていることが好ましい。
【００１９】
この構成によれば、蓋体を開放することなく、テープ収容部内を目視し、小巻テープの残量や種類（色や柄等）を確認することができる。
【図面の簡単な説明】
【００２０】
【図１】テープ印刷装置の閉蓋状態の表裏外観斜視図である。
【図２】装置本体から開閉蓋を取り外し、小巻テープを取り出した状態のテープ印刷装置の外観斜視図である。
【図３】（ａ）は、蓋体およびテープ装着装置の斜視図、（ｂ）は、蓋体およびテープ装着装置の分解斜視図である。
【図４】図３（ａ）に示す蓋体およびテープ装着装置のＡ−Ａ線における断面図である。
【発明を実施するための形態】
【００２１】
以下、添付の図面を参照しながら、本発明のテープ装着装置を備えたテープ印刷装置について説明する。このテープ印刷装置は、装着した小巻テープを繰り出しながら印刷を行い、小巻テープの印刷済み部分を切断して（本実施形態のものは、ユーザーが切断を行う。）、ラベル（テープ片）を作成するものである。
【００２２】
図１および図２を参照して、テープ印刷装置１について説明する。図１は、テープ印刷装置１の閉蓋状態の表裏外観斜視図である。図２は、装置本体２から蓋体５を取り外し、小巻テープ３を取り出した状態のテープ印刷装置１の外観斜視図である。テープ印刷装置１は、その外殻を形成する装置本体２と、装置本体２に窪入形成され、小巻テープ３が着脱自在に収容されるテープ収容部４と、テープ収容部４を開閉するために着脱自在に設けられた蓋体５と、小巻テープ３を繰出しながら印刷を行う印刷部６と、蓋体５のテープ収容部４側となる面に設けられ、小巻テープ３が繰出し自在に装着されるテープ装着装置７と、を備えている。
【００２３】
装置本体２には、印刷済みの小巻テープ３の繰出し端部が排出されるテープ排出口２１が形成されている。なお、正確には、蓋体５側にもテープ排出口２１に連なる切り欠きが形成されている。また、装置本体２の上面には、ユーザーが操作するキーボード２２と、操作結果等を表示するディスプレイ２３と、が配設されている。なお、ユーザーは、キーボード２２およびディスプレイ２３が配設されている面を上にして通常の印刷動作を実行させる。
【００２４】
小巻テープ３は、その軸心にコア部材が存在せず（いわゆる芯なしタイプ）、軸心に所定の大きさの孔を形成するように、粘着剤付きの長尺のテープのみを巻回して構成されている。すなわち、小巻テープ３は、裏面に粘着剤を塗着したテープ本体（装飾テープ）と、テープ本体の裏面に貼着した剥離テープ（剥離紙）とから成り、これらをロール状に巻き締めて構成されている。
【００２５】
テープ収容部４は、小巻テープ３の軸心に係合する係合軸４１を有している。係合軸４１は、テープ収容部４の底面に対し回転自在に軸支されており、小巻テープ３を回転自在に軸支する。
【００２６】
蓋体５は、テープ収容部４を閉塞し、ユーザーが操作する際には、テープ印刷装置１の底面を形成する。蓋体５は、装置本体２に形成された２つの掛合孔２４に掛合する２つのヒンジ部５１（図３（ａ）参照）と、装置本体２に形成されたロック機構２５により係止されるフック部５２と、閉塞した状態のテープ収容部４内を視認するための小窓５３と、を有している。蓋体５は、２つのヒンジ部５１が配設された一辺を中心に回動し、フック部５２が配設された一辺を跳ね上げるようにして開放される。また、蓋体５を開放した状態において、各ヒンジ部５１と各掛合孔２４との掛合を解くことで、装置本体２から蓋体５を取り外すことができる。小窓５３は、蓋体５のテープ排出口２１側に透光性材料で形成されており、テープ収容部４の閉塞時に、テープ装着装置７に装着された小巻テープ３を外側から確認することができるようになっている。なお、小窓５３の形成位置、大きさおよび形状は任意である。
【００２７】
印刷部６は、小巻テープ３を繰出して送るプラテンローラー（図示省略）と、小巻テープ３およびインクリボン（図示省略）を同期して繰出す駆動機構（図示省略）と、小巻テープ３およびインクリボンを挟んでプラテンローラーに当接するサーマルヘッド６１と、を有している。インクリボンは、プラテンローラーの部分で、繰出された小巻テープ３と重なって併走し、サーマルヘッド６１により印刷処理が行われ、その後、テープ排出口２１から装置本体２に送りだされる。この場合、小巻テープ３の繰り出し経路は、サーマルヘッド６１の手前でクランク状に屈曲しており、非印刷時に、小巻テープ３の先端がテープ排出口２１から引き込まれないようになっている。そして、ユーザーは、印刷済み部分をテープ幅方向に切断することで、テープ片（ラベル）が作成される。なお、繰出された小巻テープ３の印刷済み部分を自動で切断するカッター機構等を設けてもよい。
【００２８】
ここで、小巻テープ３をテープ収容部４に収容するには、テープ印刷装置１を表裏反転して蓋体５を上に向けた状態とする。そして、蓋体５を開き、小巻テープ３の繰出し端部をテープ排出口２１に挿通させる。その後、蓋体５を閉め、キーボード２２等を上に向ける。
【００２９】
続いて、図３および図４を参照して、テープ装着装置７について詳細に説明する。図３（ａ）は、蓋体５およびテープ装着装置７の斜視図、図３（ｂ）は、蓋体５およびテープ装着装置７の分解斜視図である。図４は、図３（ａ）に示す蓋体５およびテープ装着装置７のＡ−Ａ線における断面図である。テープ装着装置７は、小巻テープ３と同軸上に、装着した小巻テープ３の一方の端面が位置決め状態で当接する回転テーブル７１と、回転テーブル７１を回転自在に支持するテーブル支持部７２と、を備えている。
【００３０】
回転テーブル７１は、円板状のテーブル本体８１と、テーブル本体８１の中心部に凸設され、小巻テープ３の軸心に挿通する位置決め突起８２と、で一体に形成されている。なお、装置本体２に蓋体５を取り付けると、回転テーブル７１は、テープ収容部４の内面のひとつを構成する。
【００３１】
位置決め突起８２は、凸設した中空円形突起で構成され、位置決め突起８２の周縁部には、ばね性を有する複数（本実施形態では３つ）の抜止めフック部８３が、等間隔にテーブル本体８１を貫通して下方に延設されている。各抜止めフック部８３は、後述するガイド部本体８７に係合することで、回転テーブル７１とテーブル支持部７２とを抜け止め状態とする。なお、テーブル本体８１には、各抜止めフック部８３が挿通するためのフック貫通孔８４が複数（本実施形態では３つ）開口している。
【００３２】
位置決め突起８２は、テープ収容部４を蓋体５により閉塞した状態において、テープ収容部４に設けられた係合軸４１と同軸となる位置に形成されている。これにより、テープ収容部４に小巻テープ３を収容した後、蓋体５を取り付けると、小巻テープ３は、係合軸４１と位置決め突起８２とにより位置決めされる。すなわち、位置決め突起８２により、小巻テープ３と回転テーブル７１との回転中心の位置合せが容易となり、小巻テープ３と回転テーブル７１とを確実に同軸回転させることができる。
【００３３】
また、回転テーブル７１は、透光性材料で構成されている。このため、上記した小窓５３からテープ収容部４の内部を見ると、回転テーブル７１を通して小巻テープ３を目視することができる。これにより、蓋体５を開放することなく、テープ収容部４内の小巻テープ３の残量や種類（色や柄等）を確認することができる。
【００３４】
テーブル支持部７２は、位置決め突起８２が回転自在に係合する回転ガイド部８５と、テーブル本体８１の周縁部に摺接自在に支持する周縁支持部８６と、を有している。
【００３５】
回転ガイド部８５は、上記した位置決め突起８２の各抜止めフック部８３が係合するガイド部本体８７と、ガイド部本体８７を支持する円柱部８８と、で一体に形成されている。ガイド部本体８７は、円柱部８８よりも大径に形成されており、蓋体５に凸設した円柱部８８の先端に連なっている。そして、ガイド部本体８７と円柱部８８との段差の部分に、各抜止めフック部８３の先端が係合するようになっている。このため、テープ装着装置７の姿勢によって、回転テーブル７１がテーブル支持部７２から抜け落ちてしまうことがなく、また、回転テーブル７１を円滑に回転させることができる。さらに、ばね性を有する各抜止めフック部８３の係合を解くことで、回転テーブル７１を取り外した状態で、回転テーブル７１に付着した小巻テープ３の粘着剤等による汚れの清掃を容易に行うことができる。
【００３６】
周縁支持部８６は、回転テーブル７１の外周に沿って、回転ガイド部８５と同心円上に、蓋体５に凸設されている。正確には、小窓５３が形成された部分を除いた半周部分と、小窓５３の近傍の一部分に凸設されている。この周縁支持部８６は、ガイド部本体８７に対し抜止めフック部８３が接触しないような高さに形成されている。これにより、テーブル本体８１は、周縁支持部８６により、浮くようにして支持されるため、回転テーブル７１の回転抵抗を抑制することができる。すなわち、小巻テープ３の回転を円滑に、かつ、安定させることができる。
【００３７】
以上のようなテープ印刷装置１では、テープ収容部４に小巻テープ３を収容して蓋体５を取り付けた後、テープ印刷装置１のキーボード２２等を上に向くようにすると、小巻テープ３の端面は、テーブル本体８１上に接触し、小巻テープ３および回転テーブル７１は、共に同軸回転する。
【００３８】
この際、小巻テープ３の一方の端面からはみ出した粘着剤が、テーブル本体８１に付着することとなるが、その粘着剤により回転テーブル７１の回転が妨げられることがない。すなわち、小巻テープ３の両端面にフィルムを貼付する等、貼り付き防止のための措置をとらなくても、回転テーブル７１が回転することで小巻テープ３の回転および繰出しを円滑に行うことができる。また、小巻テープ３の両端面にフィルム等を貼付する必要がないため、小巻テープ３を使い切った際の廃棄物（フィルム）を削減することができると共に、小巻テープ３自体の製造コストを削減することができる。
【符号の説明】
【００３９】
１：テープ印刷装置、３：小巻テープ、４：テープ収容部、５：蓋体、６：印刷部、７：テープ装着装置、５３：小窓、７１：回転テーブル、７２：テーブル支持部、８１：テーブル本体、８２：位置決め突起、８３：抜止めフック部、８５：回転ガイド部、８６：周縁支持部、８７：ガイド部本体、８８：円柱部
【図１】
0005609353.tif 000002
【図２】
0005609353.tif 000003
【図３】
0005609353.tif 000004
【図４】
0005609353.tif 000005